(57)【特許請求の範囲】
【請求項１】
建物の同一壁面に少なくとも２つの出窓が設けられた建物であって、
前記壁面には、同一幅寸法とされた少なくとも２つの開口が形成され、この２つの開口には、各窓部の正面投影面における幅寸法比が同一の出窓がそれぞれ取り付けられ、これらの各出窓の一方は、他方の出窓よりも壁開口面から室外側への突出寸法が小さくされている建物。
【請求項２】
出窓の各窓部の正面投影面における幅寸法は、出窓が取り付けられる壁開口の幅寸法に応じて設定され、
前記各窓部のうち、前記壁開口面に対して傾斜して配置される袖窓部の傾斜角度および幅寸法は、壁開口面から室外側への出窓の突出寸法に応じて設定されている請求項１に記載の建物。
【請求項３】
前記出窓は、正面窓部とこの正面窓部の両側に配置された２つの袖窓部を備えており、正面窓部の幅寸法と、２つの袖窓部の正面窓部と平行な方向の幅寸法との比率は、壁開口の幅寸法に応じて設定されている請求項２に記載の建物。
【請求項４】
出窓の各袖窓部は、壁開口の両端に設けられた躯体に取り付けられる縦枠と、方立と、縦枠および方立間に上下に間隔をおいて配置されかつ縦枠および方立をそれぞれ連結する袖上枠および袖下枠とを備えて構成され、
正面窓部は、各方立間に上下に間隔をおいて配置されかつ各方立をそれぞれ連結する正面上枠および正面下枠を備えて構成され、
前記袖上枠および袖下枠は、壁開口面から室外側への出窓の突出寸法に応じた長さ寸法に設定され、
前記縦枠は、躯体への取付面に対する袖上枠および袖下枠の取付面の傾斜角度が、袖窓部の壁開口面に対する傾斜角度に応じて設定され、
前記方立は、正面上枠および正面下枠の取付面に対する袖上枠および袖下枠の取付面の傾斜角度が、袖窓部の壁開口面に対する傾斜角度に応じて設定されている請求項３に記載の建物。
【請求項５】
前記正面窓部には引違い窓が組み込まれ、前記袖窓部には嵌め殺し窓が組み込まれている請求項４に記載の建物。
【請求項６】
出窓において建物の壁開口に取り付けられた袖窓部の壁開口面に対する傾斜角度は、壁開口面から室外側への出窓の突出寸法が大きい場合に比べて小さい場合のほうが小さな傾斜角度にされている請求項１に記載の建物。
【発明の詳細な説明】
【０００１】
【発明の属する技術分野】
本発明は、出窓を備える建物に係り、特に、狭小敷地にも対応可能な建物に関する。
【０００２】
【背景技術】
出窓は、手軽に室内のスペースを確保（広く）したり、室外の意匠のアクセントになるために広く普及している。この出窓は、例えば、平面台形の出窓を例に説明すると、通常は、建物躯体（建物の壁開口に設けられた柱等）に取り付けられる縦枠と、この縦枠から離れて配置される方立間に袖上枠および袖下枠を連結して袖窓部（袖ユニット）を組み立て、この袖窓部の各方立間に正面上枠および正面下枠を連結材（ジョイント部材）を用いて接合して正面窓部（正面枠ユニット）を組み立てていた。
そして、この各袖ユニットや正面枠ユニット内に、ガラス等の各種面材を嵌め殺し状態に組み込んだり、引違い障子や縦辷り出し窓用の障子等を組み込んで出窓を構成していた。
【０００３】
ところで、敷地が狭い狭小地に立てられる建物等では、敷地一杯に建物を建てることが多く、出窓の出幅寸法、つまり建物外壁の壁開口面からの出窓の突出寸法を小さくする必要がある。例えば、通常の出窓の出幅寸法を３００mmに設定している場合、狭小地用の出窓では、出幅寸法を２００mmなどに短くしていた。
ここで、従来は、縦枠や方立を出幅寸法が異なる各出窓で兼用できるように、各上枠、下枠の長さを調整して出幅寸法を設定していた。
例えば、図１５に示すように、建物外壁の壁開口の幅寸法がＷ１、つまり柱１０１間の開口幅寸法がＷ１の場合、狭小地では、図１５（Ａ）に示すように、建物の壁開口面（壁面）からの突出寸法（見込み寸法、出幅寸法）Ｌ１が２００mmの出窓５０１を用い、通常の場合は、図１５（Ｂ）に示すように、建物の壁開口面（壁面）からの突出寸法（見込み寸法、出幅寸法）Ｌ２が３００mmの出窓５０２を用いていた。
そして、柱１０１に固定される縦枠５１１や、方立５１２は、各出窓５０１，５０２で同一のものを用いており、縦枠５１１および方立５１２間に架け渡される袖上枠５１３、袖下枠５１４の長さ寸法を、出窓５０１では寸法Ｌ１１とし、出窓５０２では寸法Ｌ１１よりも大きな寸法Ｌ１２とすることで、出幅寸法Ｌ２を大きくしていた。
ここで、壁開口面に対する袖窓部５１０つまり各枠５１３，５１４の傾斜角度θ５は、各出窓５０１，５０２で同じ角度（例えば６０度）とされている。このため、正面窓部５３０つまり方立５１２間に架け渡される正面上枠５３１および正面下枠５３２の長さ寸法は、出窓５０１では寸法Ｗ１１とされ、出窓５０２では寸法Ｗ１１よりも小さな寸法Ｗ１２とされていた。
【０００４】
このような出幅寸法Ｌ１，Ｌ２が異なる出窓５０１，５０２では、袖窓部５１０および正面窓部５３０の正面投影面における幅寸法比が、互いに相違することになる。すなわち、正面投影面における幅寸法比とは、図１６に示すように、出窓５０１，５０２の室外面（正面）を、壁開口面に平行に配置される仮想的な投影面４００に投影させた際の各窓部５１０，５３０の幅寸法ＷＡ，ＷＢである。従って、正面窓部５３０における幅寸法ＷＡは、図１５に示す各窓部５１０，５３０の見付け寸法Ｗ１１，Ｗ１２となる。また、袖窓部５１０における幅寸法ＷＢは、出窓５０１では寸法Ｗ１３となり、出窓５０２では寸法Ｗ１３よりも大きな寸法Ｗ１４となる。
【０００５】
【発明が解決しようとする課題】
これらの出窓５０１，５０２では、各窓部５１０，５３０の見付け寸法比つまり寸法Ｗ１１と寸法Ｗ１３との割合と、寸法Ｗ１２と寸法Ｗ１４との割合とが相違するため、出窓５０１，５０２が取り付けられる壁開口の幅寸法Ｗ１が同一であっても、各寸法Ｗ１１とＷ１２とは互いに相違し、寸法Ｗ１３とＷ１４とも互いに相違していた。このため、各出窓５０１，５０２の室外側正面の外観が大きく相違し、例えば、２つの出窓５０１，５０２を建物の外壁に並べて配置した際に、各窓部５１０，５３０の見た目のバランスが各出窓５０１，５０２で大きく相違し、外観デザインの統一が図れないという問題がある。
また、狭小地向けの出窓５０１では、袖窓部５１０の寸法Ｌ１１を出窓５０２の寸法Ｌ１２に比べて短くすることで、出幅寸法Ｌ１を小さくしているので、特に袖窓部５１０の採光面積が非常に小さくなってしまうという問題がある。特に、出窓では、正面窓部５３０だけでなく、袖窓部５１０からの斜め方向の見通しを向上して眺望性や開放感を高めているため、袖窓部５１０の寸法Ｌ１１が小さくなると、出窓を設けるメリットがあまり得られないという問題がある。
このような問題は、平面台形状の出窓に限らず、平面形状が三角、弓形等の平面形状が長方形状の角型出窓以外の各種出窓でも同様である。
本発明の目的は、出幅寸法の異なる出窓間における外観デザインを統一化でき、かつ出幅寸法の小さな出窓であっても眺望性や開放感を高めることができる出窓を用いた建物を提供することにある。
【０００６】
【課題を解決するための手段】
本発明は、建物の同一壁面に少なくとも２つの出窓が設けられた建物であって、前記壁面には、同一幅寸法とされた少なくとも２つの開口が形成され、この２つの開口には、各窓部の正面投影面における幅寸法比が同一の出窓がそれぞれ取り付けられ、これらの各出窓の一方は、他方の出窓よりも壁開口面から室外側への突出寸法が小さくされていることを特徴とするものである。
出窓は、通常、建物開口の側面の柱等の躯体に取り付けられる袖窓部と、袖窓部間に配置される正面窓部とを備えて構成される。すなわち、平面台形の出窓は、２つの袖窓部とこれらの袖窓部間に配置される１つの正面窓部とで構成され、弓形の出窓は、２つの袖窓部とこれらの袖窓部間に配置される複数の正面窓部とで構成される。また、平面三角形状の出窓は、２つの袖窓部のみで構成される。このため、出窓の各窓部とは、三角出窓では各袖窓部であり、他の出窓では各袖窓部と正面窓部である。そして、各窓部の正面投影面における幅寸法とは、いわゆる各窓部の見付け寸法である。さらに、各窓部の幅寸法比は、例えば、出窓の平面形状毎に、さらに出窓が取り付けられる壁開口の幅寸法等に応じて予め設定すればよい。
このような本発明では、出窓の各窓部の正面投影面における幅寸法比を所定比率に統一しているので、出幅寸法が異なる各出窓においても、各窓部の見え掛かり部分のバランスが統一されて、外観意匠を向上することができる。さらに、幅寸法比が所定の比率に設定されているため、出幅寸法の小さな出窓における袖窓部は、建物壁面に対する傾斜角度が小さくなり、かつ従来の出窓５０１の場合に比べると袖窓部の幅寸法は大きくなる。従って、出幅寸法が小さな出窓であっても、袖窓部の開口面積を比較的大きくでき、眺望性や開放感を向上できる。
さらに、このような出窓を有する建物によれば、一つの壁面に出幅寸法の異なる２つの出窓を配置した際に、各窓部の見付け寸法が同一になるため、建物壁面において各出窓を上下あるいは左右に並べて配置した際に、その壁面を非常に統一感があってバランスの良い外観にすることができる。
【０００７】
ここで、出窓の各窓部の正面投影面における幅寸法は、出窓が取り付けられる壁開口の幅寸法に応じて設定され、前記各窓部のうち、前記壁開口面に対して傾斜して配置される袖窓部の傾斜角度および幅寸法は、壁開口面から室外側への出窓の突出寸法（出幅寸法）に応じて設定されていることが好ましい。
例えば、平面台形の出窓であれば、袖窓部の傾斜角度および幅寸法は出幅寸法によって決められるが、正面窓部の幅寸法は、出窓つまり壁開口の幅寸法によって相違する。従って、各窓部の実際の幅寸法は、出窓の出幅寸法および壁開口の幅寸法に応じて設定すればよい。従って、出窓の各窓部の正面投影面における具体的な幅寸法比は、通常は、出窓の幅寸法つまり出窓が取り付けられる壁開口の幅寸法毎に設定すればよく、壁開口の幅寸法が同一であれば前記幅寸法比も同一にすればよい。
このような構成によれば、出窓の平面形状が同一、つまり台形出窓同士や、三角出窓同士や、弓形出窓同士であり、かつ出窓の幅寸法つまり出窓が取り付けられる壁開口の幅寸法が同一であれば、出幅寸法が異なる各出窓において各窓部の見付け寸法が同一になるため、各出窓で外観デザインを統一感のあるものにでき、特に同じ建物の壁面に出幅寸法が異なる出窓を上下あるいは左右に並べて配置した場合には、建物としても統一感があり、バランスの良い意匠にすることができる。
【０００８】
また、前記出窓は、正面窓部とこの正面窓部の両側に配置された２つの袖窓部を備えており、正面窓部の幅寸法と、２つの袖窓部の正面窓部と平行な方向の幅寸法との比率、つまり各窓部の見付け寸法の比率は、壁開口の幅寸法に応じて設定されていることが好ましい。
平面台形状の出窓のように、左右両端に袖窓部を有する出窓の場合には、左右対称の投影バランスにできるため、外観意匠をより一層向上することができる。
【０００９】
さらに、出窓の各袖窓部は、壁開口の両端に設けられた躯体に取り付けられる縦枠と、方立と、縦枠および方立間に上下に間隔をおいて配置されかつ縦枠および方立をそれぞれ連結する袖上枠および袖下枠とを備えて構成され、正面窓部は、各方立間に上下に間隔をおいて配置されかつ各方立をそれぞれ連結する正面上枠および正面下枠を備えて構成され、前記袖上枠および袖下枠は、壁開口面から室外側への出窓の突出寸法に応じた長さ寸法に設定され、前記縦枠は、躯体への取付面に対する袖上枠および袖下枠の取付面の傾斜角度が、袖窓部の壁開口面に対する傾斜角度に応じて設定され、前記方立は、正面上枠および正面下枠の取付面に対する袖上枠および袖下枠の取付面の傾斜角度が、袖窓部の壁開口面に対する傾斜角度に応じて設定されていることが好ましい。
このような構成の出窓によれば、袖窓部の方立に、正面窓部の上下枠を取り付けているので、正面窓部用の方立（縦枠）を別途用意する必要が無く、部品点数を減少できてコストも低減できる。また、出幅寸法の異なる出窓を構成するためには、各方立、縦枠および袖上枠、袖下枠をその出幅寸法に応じて用意すればよく、正面上枠、下枠や正面窓部に配置される障子等の正面窓部を構成する部品は、壁開口の幅寸法が同一であれば、出窓の出幅寸法に関係なく、各出窓で共通化できるので、コストを低減できる。
【００１０】
この際、前記正面窓部には引違い窓が組み込まれ、前記袖窓部には嵌め殺し窓が組み込まれていることが好ましい。
壁開口の幅寸法が同一であれば、出窓の出幅寸法に関係なく、正面窓部の幅寸法を各出窓で同一にすることができ、出窓の各窓部の正面投影面における幅寸法比も同一にできる。このため、例えば、正面窓部を引違い窓にする場合等では、正面窓部の幅寸法が各出窓で異なると、それらの幅寸法に応じた寸法違いの障子や正面枠材を複数種類用意しなければならず、コストが嵩み、在庫も増加するという問題が生じるが、本発明によれば、正面窓部の幅寸法が各出窓で同一になるので、障子を共通化できて在庫も少なくでき、製造コストや在庫管理コストを低減することができる。さらに、本発明では、正面窓部に、網戸、面格子、装飾格子などを設ける場合にも、これらの部材を共通化できるため、より一層在庫を少なくでき、コストも低減できる。
また、袖窓部の長さ寸法が各出窓で異なるが、従来においても、出幅寸法が相違すれば出窓の袖窓部の長さ寸法は異なっていたものであり、かつ嵌め殺し窓であれば、窓枠およびガラス等の面材の長さのみを調整すればよく、引違い窓の幅寸法を異ならせる場合に比べれば、簡単に調整できるため、袖窓部においては従来に対し製造コストが増加することも防止でき、出窓全体としては従来に比べてコストを大幅に低減することができる。
【００１１】
また、出窓において建物の壁開口に取り付けられた各窓部の壁開口面に対する傾斜角度は、壁開口面から室外側への出窓の突出寸法（出幅寸法）が大きい場合に比べて小さい場合のほうが小さな傾斜角度にされていることが好ましい。
すなわち、出幅寸法の大きな出窓における袖窓部の壁面に対する傾斜角度をθ２とし、出幅寸法が小さな出窓における同傾斜角度をθ１とした際に、θ２＞θ１であればよい。なお、θ２は通常９０度以下であり、かつ袖窓部が壁面に平行となることはないため、９０度≧θ２＞θ１＞０度となり、θ２は例えば６０度、θ１は４５度などにすればよい。
出幅寸法が小さな出窓では、袖窓部の幅寸法も小さくなる。このとき、袖窓部の平面に対する傾斜角度が大きいと、袖窓部が傾斜していることが分かりにくくなり、例えば、平面台形の出窓を構成しているのにも関わらず、平面四角形の出窓のように見えてしまうおそれがある。これに対し、本発明では、出幅寸法が小さな出窓つまり袖窓部の幅寸法が小さな出窓では、袖窓部の傾斜角度を小さくして壁面直交角度つまり９０度に対する角度差を大きくしているので、袖窓部が傾斜していることを明確に把握でき、平面四角形の出窓との相違を明確にできて出窓部分の意匠の多様性も確保でき、需要者の多用なニーズに対応することができる。
【００１３】
【発明の実施の形態】
以下、本発明の一実施形態を図面に基づいて説明する。なお、各図面においては図面を見やすくするために、断面を示すハッチングを基本的に省略して記載している。
本実施形態の出窓としては、図１に示すように、出幅寸法（出窓が取り付けられた壁開口部つまり壁面１０２Ａからの突出寸法、換言すれば見込み寸法）Ｌ１，Ｌ２が異なる２種類の出窓２，３がある。
出窓２は、図１（Ａ）に示すように、出幅寸法Ｌ１が例えば２００mmと小さくされ、狭小地に建てられる建物にも取り付けることができるように構成されたものである。
一方、出窓３は、図１（Ｂ）に示すように、出幅寸法Ｌ２が例えば３００mmとされ、一般的な敷地に建てられる建物等に取り付けることができるように構成されている。
なお、出窓には、平面形態（横断面形状）が台形とされた台形出窓、角型とされた角型出窓、三角とされた三角出窓、弓形とされた弓形出窓等があるが、本実施形態の出窓２，３は、台形出窓とされている。さらに、出窓には、開き形態として、正面部分が引違い窓等の開閉窓とされ、袖部分がＦＩＸ窓とされたタイプと、正面部分がＦＩＸ窓とされ、袖部分が縦辷り出し窓等の開閉窓とされたタイプとがあるが、本実施形態の出窓２，３はいずれも正面部分が引違い窓とされ、袖部分がＦＩＸ窓とされたタイプである。
【００１４】
これらの各出窓２，３は、出幅寸法の相違に基づく相違点もあるが、基本的な構成は同様であるため、出窓２を例に具体的な構造を説明する。
出窓２は、図２，３にも示すように、袖窓部５、正面窓部６を備えて構成されている。
袖窓部５は、図４の出窓２の横断面図および図５の袖窓部５の縦断面図にも示すように、縦枠１１と、方立１２と、これらの縦枠１１および方立１２の上端間に架け渡された袖上枠１３と、縦枠１１および方立１２の下端間に架け渡された袖下枠１４とを四角枠状に組み合わせた袖枠ユニット１０を備えている。
正面窓部６は、図６の正面窓部６の縦断面図にも示すように、方立１２の上端部間および下端部間にそれぞれ架け渡された正面上枠３１、正面下枠３２とを備えて構成される正面枠ユニット３０を備えている。従って、本実施形態では、袖枠ユニット１０の方立１２は、正面枠ユニット３０の縦枠としても機能することになる。
【００１５】
ここで、袖枠ユニット１０の袖上枠１３、袖下枠１４には、ボルト挿通溝１３１，１４１が形成され、縦枠１１、方立１２およびボルト挿通溝１３１，１４１に挿通される通しボルト１５によって、各縦枠１１、方立１２、袖上枠１３、袖下枠１４は四角枠状に組み立てられて袖枠ユニット１０を構成している。
すなわち、図７，８にも示すように、方立１２の上下両端部分における正面上枠３１，正面下枠３２の取付面１２Ａには、ボルト挿通用の長孔１２１が形成されている。この長孔１２１から挿入された通しボルト１５は、方立１２内に配置された裏板１５１と、ボルト挿通溝１３１，１４１とを通して挿通されて縦枠１１内に配置された裏板１５２に螺合されている。この通しボルト１５によって、袖上枠１３、袖下枠１４を挟んで縦枠１１および方立１２が互いに引き寄せられ、縦枠１１、方立１２、袖上枠１３、袖下枠１４が四角枠状に組み立てられている。なお、この袖枠ユニット１０は、通常、工場で予め組み立てられて施工現場に輸送される。
【００１６】
一方、方立１２と、正面上枠３１および正面下枠３２とは、図７，８に示すように、上枠用連結材７０および下枠用連結材８０を用いた従来と同様な方法で連結される。すなわち、各枠３１，３２の端面（方立接合面）におけるビスホールに連結ネジ９０を螺合し、この連結ネジ９０を方立１２に形成された長孔１２１や挿通孔１２２を介して方立１２内に突出させ、方立１２内に突出されたネジ頭部を各連結材７０，８０に係合させて連結している。
ここで、上枠用連結材７０は、金属板を折曲することで、本体部７２および打込部７３を備えた断面Ｌ字状に形成されている。
本体部７２には、連結ネジ９０の頭部が挿通可能な丸穴７４と、この丸穴７４に連続する長溝７５とからなる係合溝が左右２カ所に形成されている。長溝７５の幅寸法は、連結ネジ９０の頭部の直径よりも小さくかつ連結ネジ９０の軸の直径よりも大きくされ、長溝７５に連結ネジ９０を移動させた際には、頭部が抜けないようにされている。
また、本体部７２には、長溝７５に沿ってかつ打込部７３の延出方向に突出された板バネ部７７が形成されている。この板バネ部７７は、プレス加工等によって形成され、打込部７３の延出方向側に湾曲されている。
また、板バネ部７７の丸穴７４側は緩やかな傾斜面とされ、その打込部７３側は傾斜面に連続しかつ本体部７２に平行な鉛直面とされている。このため、図８（Ｃ）に示すように、ハンマ（木槌）９１等を用い、ボルト９２等を介して各連結材７０の打込部７３を打ち込み、連結ネジ９０を長溝７５に沿って移動させると、丸穴７４に挿入された頭部は傾斜面に沿って板バネ部７７上を移動して連結ネジ９０つまりは正面上枠３１を打込部７３の延出方向に弾性的に引っ張り、鉛直面の位置で係止される。その結果、正面上枠３１と方立１２の端面とが圧接して接合されることになる。
【００１７】
下枠用連結材８０も、丸穴７４および長溝７５からなる係合溝が、左右２カ所、上下２カ所の計４カ所に形成されている点を除き、上枠用連結材７０と同様の構造であり、同様の手順で正面下枠３２と方立１２とを接合できるため、説明を省略する。なお、下枠用連結材８０に４本の係合溝が設けられているのは、正面下枠３２の左右の各端面の連結に、下枠用連結材８０を共用して利用するためである。
【００１８】
このように連結された袖枠ユニット１０および正面枠ユニット３０の下面には、断熱材５１を介して底板５０がビス等で固定され、上面には屋根５５がビス等で固定されて出窓２を構成している。
この出窓２は、縦枠１１が建物１００の柱１０１にビス止めされ、底板５０および屋根５５が壁１０２や窓台１０３にビス止めされ、建物１００の壁１０２の開口に取り付けられている。
さらに、図５にも示すように、袖枠ユニット１０には、押縁１６によりガラス１７（本実施形態では複層ガラス）が嵌め込まれてＦＩＸ窓を構成している。
一方、図６にも示すように、正面枠ユニット３０には、室内外の２枚の障子３５が組み込まれて引違い窓を構成している。
【００１９】
また、断熱材５１の上面には、図６にも示すように、地板５２が取り付けられて仕上げられている。さらに、図９にも示すように、縦枠１１には柱１０１の開口内周面に取り付けられる額縁１０５にビスなどで固定されて縦枠１１と柱１０１との接続部が室内側に露出しないようにカバーするカバー片１１１が一体に形成されている。
一方、図６に示すように、壁１０２の開口上部に配置された額縁１０５には額縁アングル１０６がビスなどで固定されて屋根５５と壁１０２との接合部をカバーしている。
【００２０】
一方、出窓３は、図１に示すように、袖窓部５および正面窓部６の正面投影面４００（図１６参照）における幅寸法比が、出窓２における幅寸法比つまり見付け寸法の比率と一致するように設定されている。すなわち、壁１０２の開口幅寸法Ｗ１が共通する各出窓２，３において、正面窓部６の見付け寸法Ｗ２は互いに同一とされ、袖窓部５の見付け寸法Ｗ３も互いに同一とされている。このため、袖窓部５の見付け寸法Ｗ３と、正面窓部６の見付け寸法Ｗ２との比率は、各出窓２，３において共通しており、所定の比率に設定されている。この所定の比率は、出窓が設置される建物毎や、複数種類の出窓が用意された出窓シリーズに応じて設定すればよく、例えば、出窓２，３の幅寸法（開口幅寸法Ｗ１）に応じて設定すればよい。
このため、出窓３では、壁開口面に対する袖窓部５の傾斜角度θ２が、出窓２のθ１よりも大きくされ、かつ、袖枠ユニット１０の袖上枠１３、袖下枠１４の長さ寸法Ｌ４が、出窓２の各枠１３，１４の長さ寸法Ｌ３よりも大きくされている。なお、本実施形態では、角度θ１は４５度であり、角度θ２は６０度とされている。
【００２１】
このような構成とするため、出窓３では、図１０，１１にも示すように、出窓２に用いられる縦枠１１や方立１２とは、各枠１３，１４の接合面の平面傾斜角度が異なる縦枠１１Ｂや方立１２Ｂが用いられている。すなわち、縦枠１１では、各枠１３，１４が接合される接合面１１２の壁面１０２Ａに対する傾斜角度は４５度になるが、縦枠１１Ｂでは傾斜角度は３０度とされている。また、方立１２では、各枠１３，１４が接合される接合面１２５の壁面１０２Ａに対する傾斜角度は４５度になるが、方立１２Ｂでは傾斜角度は６０度とされている。
なお、その他の構成の内、正面上枠３１、正面下枠３２、障子３５は、出窓２と完全に同一である。一方、底板５０、地板５２、屋根５５は、出窓３の平面形状が出窓２と相違するため、出窓２に用いられるものとは平面形状、寸法が異なるものが用いられている。
また、縦枠１１、方立１２、袖上枠１３、袖下枠１４、正面上枠３１、正面下枠３２等は、アルミ押出形材等によって製造されている。
【００２２】
このような出窓２，３は、例えば、図１２に示すように、２階建ての建物１００の外壁１０２において、上下階で左右位置が揃うようにそれぞれ配置される。すなわち、１階の例えばダイニングキッチン部分には出幅寸法Ｌ１が２００mmの出窓２が設けられ、建物１００の２階の居室には出幅寸法Ｌ２が３００mmの出窓３が設けられる。このため、各出窓２，３の袖窓部５、正面窓部６は、上下方向に揃う位置に配置される。
【００２３】
このような本実施形態によれば次のような効果がある。
(1) 出幅寸法Ｌ１，Ｌ２の異なる出窓２，３を構成するにあたって、各窓部５，６の見付け幅寸法Ｗ２，Ｗ３を、各出窓２，３でそれぞれ同一寸法に設定したので、正面窓部６を構成する正面上枠３１、正面下枠３２、障子３５を共通化することができる。このため、正面窓部６を構成する部材を量産化することができ、コストを低減できるとともに、在庫の削減も図ることができる。特に、引違い窓を構成する障子３５や、この障子３５をガイドするガイドレールなどが形成された正面上枠３１、正面下枠３２は、構造が複雑であるため、各出窓２，３でこれらの正面窓部６の構成部品を共通化できると、コストを大幅に低減することができる。さらに、正面窓部６に、網戸、面格子、装飾格子等の各部品を組み込む場合も、それらの部品を共通化できるため、より一層コストを低減できる。
【００２４】
(2) また、出幅寸法Ｌ１の出窓２は、従来の出窓５０１に比べて、障子３５等が組み込まれて単位寸法あたりの重量が大きな正面窓部６の見付け寸法Ｗ２が小さいため、袖窓部５の寸法は多少長いが、出窓２全体の重量は大幅に軽減できる。このため、出窓２の支持する建物躯体側への負担を軽減でき、出窓２の支持強度も向上することができる。さらに、出窓２の重量が軽減されると、出窓２を支持する部品の数を少なくしたり、より薄い支持部品を利用することもでき、コストも低減できる。
【００２５】
(3) 各出窓２，３は、出幅寸法Ｌ１，Ｌ２は相違するが、見付け寸法Ｗ２，Ｗ３が一致するため、出窓２，３が取り付けられた建物１００の外壁１０２を正面から見ると、方立１２部分の位置等が上下の出窓２，３で上下方向に揃い、外壁１０２の外観デザインを統一でき、バランスの良い印象を与えることができる。
【００２６】
(4) 従来の出窓５０１のように、角度θ５のままで袖窓部５を短くして出幅寸法を小さくすると、袖窓部５が正面窓部６や壁面１０２Ａに対して直行する角型出窓との相違が小さくなり、出窓シリーズとして、台形出窓と角型出窓を用意してもその違いが明確にならず、効果的ではないが、本実施形態では、出幅寸法Ｌ１が小さい出窓２では、袖窓部５の傾斜角度θ２を小さくして台形形状を強調でき、角型出窓との相違も明確にできて出窓部分の意匠の多様性も確保できるので、例えば、居室には台形出窓を用い、台所には角型出窓を用いる等の需要者の幅広いニーズに応えることができる。
その上、出幅寸法の小さな出窓２においても、袖窓部５の幅寸法Ｌ３は、従来の出窓５０１の幅寸法Ｌ１１に比べて大きくできるので、袖窓部５の開口面積を出窓５０１に比べて大きくでき、眺望性や開放感を向上できる。
【００２７】
(5) 袖窓部５を構成するにあたって通しボルト１５を用いたので、袖窓部５の接合強度を向上でき、組立信頼性を高めることができる。その上、プラスドライバーでの組立が可能で組立作業を簡単に行うことができる。さらに、接合用の部品としては、通しボルト１５と裏板１５１，１５２のみでよいため、部品点数を少なくできる。
また、出窓２のように、袖窓部５の角度θ２が小さい場合に、縦枠１１側から通しボルト１５を挿通するには、縦枠１１の側面つまり外壁材との隙間を埋めるシール材やバックアップ材が配置される面に孔を形成しなければならず、防水性能の確保が難しいが、本実施形態では、方立１２に長孔１２１を形成し、通しボルト１５を方立１２側から挿通できるように構成したので、縦枠１１部分に貫通孔を設ける必要が無く、縦枠１１の防水性能を向上することができる。その上、方立１２の長孔１２１は、正面上枠３１、正面下枠３２が取り付けられることで、それらの端面で塞がれるため、外部に露出することもなく、意匠性の低下も防止できる。さらに、仮に長孔１２１から水が浸入しても、方立１２内を通して室外側に容易に排水できるので、防水性能の低下も防止できる。
【００２８】
(6) 出窓２は、袖窓部５の方立１２に、正面窓部６の上下枠３１，３２を取り付けているので、正面窓部６用の方立（縦枠）を別途用意する必要が無く、部品点数を減少できてコストも低減できる。また、袖窓部５を構成する袖枠ユニット１０は、予め工場等で組み立てて輸送することができるので、施工現場では、方立１２に各枠３１，３２を接合するだけで出窓２の骨組みを組み立てることができ、現場における施工作業を軽減できて工期も短縮できる。さらに、袖窓部５は、正面窓部６に比べて幅寸法が小さいため、例えば、正面窓部６を方立１２および上下枠３１，３２で予め枠組みして輸送する場合に比べて、取扱いが容易になり、輸送や設置作業を容易に行うことができる。
【００２９】
なお、本発明は、前述の各実施形態に限定されない。
例えば、前記実施形態では、台形出窓２，３に本発明を適用していたが、図１３に示すように、弓形の出窓に本発明を適用してもよい。すなわち、図１３（Ａ）に模式的に示す出窓３０１，３０２のように、見付け寸法Ｗ２１〜Ｗ２４が各出窓３０１，３０２で同一になるように構成すればよい。このようにすれば、各出窓３０１，３０２において正面外観意匠のバランスが統一され、特にこれらの出窓３０１，３０２を同じ建物の同一壁面に配置した場合には、その外観意匠を向上することができる。なお、各見付け寸法Ｗ２１〜Ｗ２４は、互いに異なる幅寸法でもよいが、これらの各寸法Ｗ２１〜Ｗ２４を同じ幅寸法にしたり、袖窓部３０５の見付け寸法Ｗ２１とＷ２４とを同一寸法とし、正面窓部３０６の見付け寸法Ｗ２２とＷ２３とを同一寸法にすれば、１つの出窓３０１，３０２においても各窓部分のバランスを向上できる。
さらに、弓形の出窓としては、出窓３０１，３０２のように、４つの窓部３０５，３０６で構成されるものに限らず、図１３（Ｂ）に示すように、２つの袖窓部３０５と、３個以上の正面窓部３０６とで構成される出窓３１１，３１２でもよい。さらに、図１３（Ｃ）に示すように、出幅寸法の異なる各出窓３２１，３２２において、各正面窓部３０６を互いに平行に配置してもよい。なお、出窓３１１，３１２や出窓３２１，３２２のように、各出窓で互いに平行な正面窓部３０６が存在する場合には、その正面窓部３０６は各出窓３１１，３１２，３２１，３２２で完全に同一のものを利用できるので、コストを低減できる利点がある。
さらに、出窓としては、図１４に示すような平面三角形状の出窓３３１，３３２でもよい。この場合も、各袖窓部３０５の見付け寸法Ｗ３１，Ｗ３２が各出窓３３１，３３２でそれぞれ同一になるため、外観意匠を向上することができる。
【００３０】
さらに、前記実施形態では、袖窓部５をＦＩＸ窓とし、正面窓部６を引違い窓としていたが、この窓構成は限定されず、袖窓部５を縦辷り出し窓等の開閉窓とし、正面窓部６をＦＩＸ窓等にしてもよく、これらは適宜設定すればよい。
さらに、正面窓部６には、障子３５のみを設けていたが、網戸、装飾格子、面格子などを組み込んでもよい。これらの各部品を組み込む場合も、前記実施形態のように正面窓部６の幅寸法Ｗ２が各出窓２，３で同一とされていれば、各部品も共通化でき、より一層コストを低減することができる。
また、袖枠ユニット１０や正面枠ユニット３０の構成、接合構造などは前記実施形態に限らない。例えば、各枠１３，１４，３１，３２は、アルミ押出形材で構成されたものに限らず、他の非鉄金属やステンレス等の金属材で構成されたものでもよいし、金属材だけでなく、合成樹脂や合成木材などのアルミ材に比べて熱伝導率の低い断熱材が枠の室外面および室内面の間に配置されて室外面から室内面への熱伝導が低減された断熱枠材等で構成されたものを利用してもよい。
さらに、袖枠ユニット１０は通しボルト１５で接合されるものに限らず、各枠１３，１４を縦枠１１や方立１２にビス等で固定したものでもよい。
さらに、本発明の出窓は、建物の１つの壁面に単独で取り付けられてもよいし、図１２のように上下に配設されるのではなく、壁面１０２Ａの左右に設置されるものでもよい。例えば、平屋建ての建物等において、壁面の左右に出幅寸法の異なるが各窓部の見付け幅寸法比が所定比率（つまり同一）の出窓を設置してもよい。
【００３１】
また、縦枠１１、方立１２の具体的な構造は、出窓の平面形状や、各窓部の開閉方式つまりＦＩＸ窓であるか、各種の開閉窓であるかなどに応じて適宜設定すればよい。例えば、出窓としては、前記実施形態の構造に限らず、例えば、袖下枠１４を縦枠１１および方立１２の中間部間に配置し、正面下枠３２を各方立１２の中間部間に配置して、出窓の上半分に引違い窓やＦＩＸ窓を構成し、下半分は外壁材や内壁材を配置して壁面を構成したものでもよい。要するに、袖上枠、下枠や、正面上枠、下枠は、縦枠および方立間や各方立間に上下に間隔をおいて配置されていればよい。
さらに、出窓の出幅寸法としては、２００mmのものと、３００mmのものとに限らず、実施にあたって適宜設定すればよい。また、前記実施形態や変形例では、各出窓の幅寸法Ｗ１つまり壁開口の幅寸法が同一としていたが、本発明は、この出窓の幅寸法が異なる出窓同士においても適用可能である。例えば、幅寸法が異なる２つの壁開口に台形出窓を取り付ける場合、正面窓部６の幅寸法を、各出窓の幅寸法に応じて調整すればよく、各袖窓部５は出窓の幅寸法にかかわらず、出幅寸法が同一であれば同一のものを用いることができるため、出窓の幅寸法が異なる場合も、コストを低減できる。さらに、台形出窓や弓形出窓においては、各袖窓部５の見付け幅寸法は、出窓の幅寸法の相違や、出幅寸法の相違に関係なく、常に一定にできるので、建物の同一壁面に幅寸法や出幅寸法の異なる出窓を取り付けた場合でも、統一感のある外観デザインを維持することができる。
【００３２】
【発明の効果】
以上に述べたように、本発明によれば、出幅寸法の異なる出窓間における外観デザインを統一化でき、かつ出幅寸法の小さな出窓であっても眺望性や開放感を高めることができるという効果がある。
【図面の簡単な説明】
【図１】本発明の一実施形態における出窓の平面形態を表す模式図である。
【図２】本実施形態における出窓の外観を示す斜視図である。
【図３】図２に示す出窓の分解斜視図である。
【図４】本実施形態の出窓の横断面図である。
【図５】本実施形態の出窓の袖窓部の縦断面図である。
【図６】本実施形態の出窓の正面窓部の縦断面図である。
【図７】本実施形態の出窓の袖窓部と正面窓部との接合部を示す分解斜視図である。
【図８】本実施形態の出窓の袖窓部と正面窓部との接合手順を示す図である。
【図９】図４の袖窓部の拡大横断面図である。
【図１０】本実施形態の他の出窓の横断面図である。
【図１１】図１０の袖窓部の拡大横断面図である。
【図１２】本実施形態の出窓を取り付けた建物を示す概略斜視図である。
【図１３】本発明の変形例である弓形出窓を示す模式図である。
【図１４】本発明の他の変形例である三角出窓を示す模式図である。
【図１５】本発明の従来例の出窓の平面形態を示す模式図である。
【図１６】本発明における正面投影面の幅寸法を説明するための図である。
【符号の説明】
２，３…台形出窓、５…袖窓部、６…正面窓部、１０…袖枠ユニット、１１，１１Ｂ…縦枠、１２，１２Ｂ…方立、１２Ａ…取付面、１３…袖上枠、１４…袖下枠、１５…ボルト、１６…押縁、１７…ガラス、３０…正面枠ユニット、３１…正面上枠、３２…正面下枠、３５…障子、５０…底板、５１…断熱材、５２…地板、５５…屋根、７０…上枠用連結材、７２…本体部、７３…打込部、７４…丸穴、７５…長溝、７７…板バネ部、８０…下枠用連結材、９０…連結ネジ、９２…ボルト、１００…建物、１０１…柱、１０２…壁、１０２Ａ…壁面、１０３…窓台、１０５…額縁、１０６…額縁アングル、１１１…カバー片、１１２…接合面、１２１…長孔、１２２…挿通孔、１２５…接合面、１３１，１４１…ボルト挿通溝、１５１，１５２…裏板、３０１，３０２，３１１，３１２，３２１，３２２，３３１，３３２…出窓、３０５…袖窓部、３０６…正面窓部、４００…正面投影面、５０１，５０２…出窓、５１０…袖窓部、５１１…縦枠、５１２…方立、５１３…袖上枠、５１４…袖下枠、５３０…正面窓部、５３１…正面上枠、５３２…正面下枠。
【図１】
0003947660.tif 000002
【図２】
0003947660.tif 000003
【図３】
0003947660.tif 000004
【図４】
0003947660.tif 000005
【図５】
0003947660.tif 000006
【図６】
0003947660.tif 000007
【図７】
0003947660.tif 000008
【図８】
0003947660.tif 000009
【図９】
0003947660.tif 000010
【図１０】
0003947660.tif 000011
【図１１】
0003947660.tif 000012
【図１２】
0003947660.tif 000013
【図１３】
0003947660.tif 000014
【図１４】
0003947660.tif 000015
【図１５】
0003947660.tif 000016
【図１６】
0003947660.tif 000017